(57)【要約】【課題】本発明は、着座者が容易にセンサの位置を知ることができ、適切にセンサを利用することができるシートを提供することを目的とする。【解決手段】シート（乗物用シートＳ）は、シート本体Ｓ０と、シート本体Ｓ０に設けられ、シート本体Ｓ０に座っている着座者の情報を取得するセンサ（圧力センサＰＳ１〜ＰＳ６）と、を備える。シートは、シート本体Ｓ０の外側からセンサの位置を視認可能に表示する位置表示部（塗料３１）を備える。【選択図】図１
2019182167.tif 000002
【特許請求の範囲】
【請求項１】
シート本体と、
前記シート本体に設けられ、前記シート本体に座っている着座者の情報を取得するセンサと、を備えるシートであって、
前記シート本体の外側から前記センサの位置を視認可能に表示する位置表示部を備えることを特徴とするシート。
【請求項２】
前記シート本体は、クッションパッドと、クッションパッドを被覆する表皮とを備え、
前記センサは、前記クッションパッドと前記表皮との間に配置されていることを特徴とする請求項１に記載のシート。
【請求項３】
前記位置表示部は、前記表皮の外側に露出することを特徴とする請求項２に記載のシート。
【請求項４】
前記位置表示部の色は、前記表皮の色と異なることを特徴とする請求項３に記載のシート。
【請求項５】
前記表皮は、前記センサに対応した位置に孔を有し、
前記位置表示部は、前記孔を通して前記表皮の外側に露出することを特徴とする請求項２から請求項４のいずれか１項に記載のシート。
【請求項６】
前記位置表示部は、前記センサであることを特徴とする請求項１から請求項５のいずれか１項に記載のシート。
【請求項７】
前記位置表示部は、前記表皮と前記センサとの間に配置され、前記表皮の一部を当該一部の周囲の部分よりも突出させることを特徴とする請求項２に記載のシート。
【請求項８】
前記位置表示部は、前記表皮の外側に光を出射する発光部材であることを特徴とする請求項２に記載のシート。
【請求項９】
前記センサで検出した情報を所定の対象機器に送信する制御部をさらに備え、
前記制御部は、前記対象機器と通信可能になった場合に、前記発光部材を発光させることを特徴とする請求項８に記載のシート。
【請求項１０】
前記制御部は、前記センサからの情報に基づいて着座者が着座したと判断した場合に、前記発光部材を消灯させることを特徴とする請求項９に記載のシート。
【発明の詳細な説明】
【技術分野】
【０００１】
本発明は、シート本体に座っている着座者の情報を取得するセンサを備えるシートに関する。
【背景技術】
【０００２】
従来、運転者のシートに圧力センサ等を搭載して、着座者の着座姿勢を推定する装置が知られている（特許文献１）。
【先行技術文献】
【特許文献】
【０００３】
【特許文献１】特開平１１−０６４１３１号公報
【発明の概要】
【発明が解決しようとする課題】
【０００４】
ところで、従来の装置は、運転者の着座姿勢を評価して提示するだけであるので、あまり有効に利用できないという問題がある。有効に利用する例として、例えば、正しい着座姿勢を運転者に提示し、運転者の現在の着座姿勢が正しい着座姿勢となるように運転者に動作を促すことが考えられる。しかしながら、この場合、運転者がセンサの位置を知らないと、自分の身体をどのように動かしてよいか分からないという問題が生じる。
【０００５】
そこで、本発明は、シートの新たな価値を提案するべく、着座者が容易にセンサの位置を知ることができ、適切にセンサを利用することができるシートを提供することを目的とする。
【課題を解決するための手段】
【０００６】
前記した課題を解決する本発明は、シート本体と、前記シート本体に設けられ、前記シート本体に座っている着座者の情報を取得するセンサと、を備えるシートである。
前記シートは、前記シート本体の外側から前記センサの位置を視認可能に表示する位置表示部を備える。
【０００７】
この構成によれば、位置表示部によってシート本体の外側からセンサの位置を視認することができるので、着座者が容易にセンサの位置を知ることができ、適切にセンサを利用することができる
【０００８】
また、前記シート本体は、クッションパッドと、クッションパッドを被覆する表皮とを備え、前記センサは、前記クッションパッドと前記表皮との間に配置されていてもよい。
【０００９】
また、前記位置表示部は、前記表皮の外側に露出していてもよい。
【００１０】
これによれば、位置表示部が表皮の外側に露出するので、位置表示部を視認しやすくすることができる。
【００１１】
また、前記位置表示部の色は、前記表皮の色と異なっていてもよい。
【００１２】
これによれば、位置表示部の色が表皮と異なるので、位置表示部を視認しやすくすることができる。
【００１３】
また、前記表皮は、前記センサに対応した位置に孔を有し、前記位置表示部は、前記孔を通して前記表皮の外側に露出していてもよい。
【００１４】
これによれば、位置表示部が孔を通して表皮の外側に露出するので、位置表示部を視認しやすくすることができる。
【００１５】
また、前記位置表示部は、前記センサであってもよい。
【００１６】
これによれば、位置表示部としてセンサとは別の部材を設ける必要がないので、コストを削減することができる。
【００１７】
また、前記位置表示部は、前記表皮と前記センサとの間に配置され、前記表皮の一部を当該一部の周囲の部分よりも突出させてもよい。
【００１８】
これによれば、表皮の一部が周囲の部分よりも突出することで、着座者が容易にセンサの位置を知ることができる。
【００１９】
また、前記位置表示部は、前記表皮の外側に光を出射する発光部材であってもよい。
【００２０】
これによれば、光によって着座者が容易にセンサの位置を知ることができる。
【００２１】
また、前記センサで検出した情報を所定の対象機器に送信する制御部をさらに備え、前記制御部は、前記対象機器と通信可能になった場合に、前記発光部材を発光させてもよい。
【００２２】
これによれば、制御部が対象機器と通信可能な場合、つまり着座者がセンサを使用する場合に、発光部材が発光するので、非使用時に発光部材が不必要に光るのを抑制することができる。
【００２３】
また、前記制御部は、前記センサからの情報に基づいて着座者が着座したと判断した場合に、前記発光部材を消灯させてもよい。
【００２４】
これによれば、例えば着座後も発光部材を発光させ続ける形態と比べ、電力消費を抑えることができる。
【発明の効果】
【００２５】
本発明によれば、着座者が容易にセンサの位置を知ることができ、適切にセンサを利用することができる。
【００２６】
また、位置表示部を表皮の外側に露出させることで、位置表示部を視認しやすくすることができる。
【００２７】
また、位置表示部の色を表皮とは異なる色とすることで、位置表示部を視認しやすくすることができる。
【００２８】
また、表皮に形成した孔を通して位置表示部を表皮の外側に露出させることで、位置表示部を視認しやすくすることができる。
【００２９】
また、位置表示部としてセンサを利用することで、コストを削減することができる。
【００３０】
また、位置表示部によって表皮の一部を周囲の部分よりも突出させることで、着座者が容易にセンサの位置を知ることができる。
【００３１】
また、表皮の外側に光を出射する発光部材を位置表示部として利用することで、光によって着座者が容易にセンサの位置を知ることができる。
【００３２】
また、制御部が対象機器と通信可能な場合、つまり着座者がセンサを使用する場合に、発光部材を発光させることで、非使用時に発光部材が不必要に光るのを抑制することができる。
【００３３】
また、着座者が着座した場合に発光部材を消灯させることで、例えば着座後も発光部材を発光させ続ける形態と比べ、電力消費を抑えることができる。
【図面の簡単な説明】
【００３４】
【図１】一実施形態に係るシートの構成を説明する図である。
【図２】位置表示部周りの構成を示す断面図である。
【図３】第１変形例に係る位置表示部を示す平面図（ａ）と、図３（ａ）のＩ−Ｉ断面図（ｂ）である。
【図４】第２変形例に係る位置表示部を示す断面図である。
【図５】第３変形例に係る位置表示部を示す断面図である。
【図６】第４変形例に係る位置表示部を示す断面図である。
【図７】第５変形例に係る位置表示部を示す断面図である。
【図８】第６変形例に係る位置表示部を示す断面図である。
【図９】第６変形例に係る制御装置の動作を示すフローチャートである。
【図１０】第７変形例に係る位置表示部を示す断面図である。
【図１１】第８変形例に係る位置表示部を示す断面図である。
【発明を実施するための形態】
【００３５】
次に、本発明の一実施形態について、適宜図面を参照しながら詳細に説明する。
図１に示すように、本実施形態の乗物用シートＳは、シートの一例であり、例えば、車両に設置される車両用シートとして構成される。乗物用シートＳは、シート本体Ｓ０と、制御部の一例としての制御装置１００とからなる。
【００３６】
シート本体Ｓ０は、シートクッションＳ１およびシートバックＳ２を有する。シートクッションＳ１およびシートバックＳ２は、クッションパッド２０と、クッションパッド２０を被覆する表皮１０とを備えている。クッションパッド２０は、ウレタンフォームなどからなり、図示せぬフレームによって支持されている。表皮１０は、合成皮革や布地などからなっている。
【００３７】
シートクッションＳ１とシートバックＳ２には、表皮１０の下に複数の圧力センサＰＳ１〜ＰＳ６が設けられている。圧力センサＰＳ１〜ＰＳ６は、シート本体Ｓ０に座っている着座者Ｐの動作を特定するための測定値を取得するセンサである。圧力センサＰＳ１〜ＰＳ６は、シート本体Ｓ０に着座する着座者Ｐに対向する座面の状態を検知可能に配置され、シート本体Ｓ０に座っている着座者Ｐからの圧力値を取得する。
【００３８】
各圧力センサＰＳ１〜ＰＳ６は、乗物用シートＳの左右の中心に対して左右対称に１対ずつ設けられている。
具体的には、シートクッションＳ１には、圧力センサＰＳ１〜ＰＳ３が設けられている。圧力センサＰＳ１および圧力センサＰＳ２は、シートクッションＳ１における着座者Ｐの臀部に対応する位置に配置されている。圧力センサＰＳ１および圧力センサＰＳ２は、着座者Ｐの臀部からの圧力を測定する第１クッションセンサＳＣ１を構成している。圧力センサＰＳ２は、圧力センサＰＳ１の少し前に配置されている。なお、第１クッションセンサＳＣ１は、圧力センサＰＳ１および圧力センサＰＳ２のいずれか一方のみを備えていてもよい。
【００３９】
圧力センサＰＳ３は、着座者Ｐの大腿の下に位置している。圧力センサＰＳ３は、着座者Ｐの大腿からの圧力値を測定する第２クッションセンサＳＣ２を構成している。圧力センサＰＳ３は、圧力センサＰＳ１および圧力センサＰＳ２から前方に大きく離れて配置されている。
【００４０】
シートバックＳ２には、圧力センサＰＳ４〜ＰＳ６が設けられている。圧力センサＰＳ４は、着座者Ｐの腰の後ろに対応する位置に設けられている。圧力センサＰＳ５は、圧力センサＰＳ４の少し上に配置されている。圧力センサＰＳ４および圧力センサＰＳ５は、いずれも、着座者Ｐの腰からの圧力を測定する第１バックセンサＳＢ１を構成している。なお、第１バックセンサＳＢ１は、圧力センサＰＳ４および圧力センサＰＳ５のいずれか一方のみを備えていてもよい。
【００４１】
圧力センサＰＳ６は、圧力センサＰＳ４および圧力センサＰＳ５から上方に大きく離れて配置されている。圧力センサＰＳ６は、着座者Ｐの背中の上部に対応して位置している。圧力センサＰＳ６は、着座者Ｐの肩甲骨からの圧力値を測定する第２バックセンサＳＢ２を構成している。
【００４２】
なお、圧力センサＰＳ１〜ＰＳ６は、例えば、外部からの圧力によって電気抵抗が変化する素子であり、圧力値が大きい程、検出信号の電圧が高くなる（もしくは低くなる）。
【００４３】
図２に示すように、各圧力センサＰＳ１〜ＰＳ６は、表皮１０とクッションパッド２０との間に配置されている。各圧力センサＰＳ１〜ＰＳ６の配線Ｈは、クッションパッド２０に形成された孔２１を通して制御装置１００（図１参照）に接続されている。
【００４４】
表皮１０の外面１０Ａにおける各圧力センサＰＳ１〜ＰＳ６に対応した位置には、位置表示部の一例としての塗料３１が塗布されている。塗料３１は、表皮１０の外面１０Ａに塗布されることで、表皮１０の外側に露出している。塗料３１の色は、表皮１０の外面１０Ａとは異なる色となっている。具体的には、例えば表皮１０の外面１０Ａが黒色である場合には、塗料３１の色は、黄色などの黒色に対して目立つ色とすることができる。
【００４５】
このような塗料３１は、図１に示すように、着座者が乗物用シートＳに着座する前に、シート本体Ｓ０の外側から各圧力センサＰＳ１〜ＰＳ６の位置を視認可能に表示している。
【００４６】
制御装置１００は、各圧力センサＰＳ１〜ＰＳ６から、圧力値を取得可能に圧力センサＰＳ１〜ＰＳ６と接続されている。制御装置１００は、各圧力センサＰＳ１〜ＰＳ６で検出した情報を、対象機器の一例であるスマートフォンＳＰに送信可能となっている。
【００４７】
制御装置１００およびスマートフォンＳＰは、図示しないＣＰＵ、ＲＯＭ、ＲＡＭ、書換可能な不揮発性メモリ等を有し、予め記憶されたプログラムを実行する。なお、スマートフォンＳＰは、ディスプレイＤＳＰをさらに備えている。
【００４８】
制御装置１００には、ブルートゥース（登録商標）またはＷｉ−Ｆｉ（登録商標）などの近距離無線通信を可能にする近距離通信機３Ａが接続されている。制御装置１００は、近距離通信機３Ａを介してスマートフォンＳＰと通信可能であり、スマートフォンＳＰにインストールされたアプリと連携してスマートフォンＳＰに所定の画面や音声を提供するとともに、スマートフォンＳＰで入力されたデータを取得することができるようになっている。
【００４９】
このようなシート本体Ｓ０、制御装置１００およびスマートフォンＳＰからなるシステムでは、例えば、スマートフォンＳＰ上で、１００ｍ走のゲームを提供することができる。この場合、制御装置１００は、シート本体Ｓ０上で着座者が左右の脚を交互に上下させることで、ディスプレイＤＳＰ上に表示されたゲーム内のキャラクタを走らせる操作をする信号を出力する。
【００５０】
このようなゲームを行う場合において、着座者は、シート本体Ｓ０に着座する前に、シート本体Ｓ０に塗布された塗料３１の位置を視認することができるので、各圧力センサＰＳ１〜ＰＳ６の位置を容易に確認することができる。これにより、着座者は、自分の左右の大腿を左右の圧力センサＰＳ３の上に適切にセットすることができるため、各圧力センサＰＳ３を有効に利用して、ゲームを楽しむことができる。
【００５１】
以上、本実施形態によれば、前述した効果に加え、以下の効果を奏することができる。
位置表示部である塗料３１が表皮１０の外側に露出するので、例えば後述するような表皮１０によって隠される位置表示部（スペーサ３６：図７参照）を採用する場合と比べ、位置表示部（塗料３１）を視認しやすくすることができる。
【００５２】
塗料３１の色を表皮１０とは異なる色にしたので、位置表示部（塗料３１）をより視認しやすくすることができる。
【００５３】
以上に本発明の実施形態について説明したが、本発明は、以下の変形例に示すように、適宜変形して実施することが可能である。なお、以下に説明する変形例において、前記実施形態と同様の構成要素については、同一符号を付し、その説明を省略することとする。
【００５４】
図３に示す第１変形例では、表皮１０に縫い込まれた糸状部材３２を位置表示部として例示する。糸状部材３２は、例えば、綿、羊毛、絹、ナイロンなどの繊維からなる糸であってもよいし、革などからなる紐であってもよい。
【００５５】
糸状部材３２は、表皮１０に縫い込まれることで、その一部が模様として表皮１０の外側に露出している。糸状部材３２で形成される模様は、各圧力センサＰＳ１〜ＰＳ６に対応した位置に配置されている。模様としては、どのような模様であってもよいが、例えば、図３（ａ）に示すように、圧力センサＰＳ１を囲うような円模様などを採用することができる。
【００５６】
糸状部材３２の色は、表皮１０の色と異なっている。以上のように構成される第１変形例であっても、前記実施形態と同様の効果を得ることができる。
【００５７】
図４に示す第２変形例では、面ファスナー３３を位置表示部として例示する。面ファスナー３３は、表皮１０に設けられる第１部材３３Ａと、第１部材３３Ａに対して着脱可能な第２部材３３Ｂとを備えている。第１部材３３Ａは、表皮１０における各圧力センサＰＳ１〜ＰＳ６に対応した位置に配置されている。なお、第１部材３３Ａは、表皮１０に一体に形成されていてもよいし、表皮１０に接着剤などによって固定されていてもよい。
【００５８】
第１部材３３Ａは、フック状に起毛されたフック部を有している。第２部材３３Ｂは、ループ状に起毛されたループ部を有している。そして、第２部材３３Ｂのループ部は、第１部材３３Ａのフック部に対して係合・離脱可能となっている。なお、本変形例とは逆に、フック部を第２部材３３Ｂに設け、ループ部を第１部材３３Ａに設けてもよい。この場合には、第２部材３３Ｂを取り外した状態において、着座者の衣服が第１部材３３Ａのループ部に引っ掛からないため、好ましい。
【００５９】
第１部材３３Ａは、第２部材３３Ｂが取り外された状態において、表皮１０の外側に露出する。第２部材３３Ｂは、第１部材３３Ａに取り付けられた状態において、表皮１０の外側に露出する。
【００６０】
第２部材３３Ｂの外側に露出する面の色は、表皮１０と異なる色となっている。第１部材３３Ａの色は、どのような色であってもよいが、例えば表皮１０と同系統の色、例えば同じ色にすることができる。この場合、着座者がシート本体Ｓ０をゲームのコントローラとして使用する際には、第２部材３３Ｂを第１部材３３Ａに取り付けることで、各圧力センサＰＳ１〜ＰＳ６の位置を、表皮１０とは異なる色の第２部材３３Ｂによって目立たせることができる。また、着座者がシート本体Ｓ０をコントローラとして使用しない場合には、第２部材３３Ｂを取り外すことで、シート本体Ｓ０の外観を向上させることができる。なお、本変形例によるその他の効果は、前記実施形態と同様である。
【００６１】
なお、表皮１０に対して着脱可能となる部材のその他の例としては、例えば、凸状の金具と凹状の金具を備えるスナップボタンなどが挙げられる。
【００６２】
図５に示す第３変形例では、シート本体Ｓ０の外装の大部分を占める表皮１０とは別の表示用表皮３４を、位置表示部として例示する。この変形例において、表皮１０のうち各圧力センサＰＳ１〜ＰＳ６に対応した位置には、表示用表皮３４が一体に縫い込まれている。
【００６３】
表示用表皮３４は、表皮１０とは異なる材料または異なる色で構成されている。表示用表皮３４は、表皮１０の外側に露出している。以上のように構成される第３変形例であっても、前記実施形態と同様の効果を得ることができる。
【００６４】
図６に示す第４変形例では、押しボタン式のスイッチ３５を、センサおよび位置表示部として例示する。この変形例において、表皮１０のうち各圧力センサＰＳ１〜ＰＳ６に対応した位置には、孔１１が形成されている。なお、孔１１の周囲は、内側に折り畳まれて、縫製によりまとめられている。
【００６５】
スイッチ３５は、基台３５Ａと、押しボタン３５Ｂとを備えている。基台３５Ａ内には、スイッチ機能を構成する基板等が収容されている。基板等に接続される配線Ｈは、前記実施形態と同様にクッションパッド２０の孔２１を通って制御装置１００に接続されている。
【００６６】
基台３５Ａは、表皮１０とクッションパッド２０との間に配置されている。押しボタン３５Ｂは、基台３５Ａから孔１１を通って表皮１０よりも外側に突出することによって、外部に露出している。押しボタン３５Ｂの色は、表皮１０とは異なる色となっている。
【００６７】
この変形例では、センサであるスイッチ３５が位置表示部として機能するので、例えば位置表示部としてセンサとは別の部材を設ける構造に比べ、コストを削減することができる。なお、本変形例によるその他の効果は、前記実施形態と同様である。
【００６８】
なお、この変形例のように表皮１０に孔１１を形成する形態では、圧力センサＰＳ１を孔１１から外部に露出させてもよい。また、圧力センサＰＳ１上に設ける他の部材を、孔１１から露出させてもよい。また、この変形例のようにセンサを位置表示部として利用する場合には、例えば表皮の外面にセンサを貼り付けることで、このセンサを位置表示部としてもよい。
【００６９】
図７に示す第５変形例では、表皮１０と圧力センサＰＳ１との間に配置されるスペーサ３６を、位置表示部として例示する。スペーサ３６は、例えば樹脂などからなり、表皮１０の一部を当該一部の周囲の部分よりも突出させている。ここで、表皮１０の一部の突出量は、着座者が目視により突出していることが分かるような、ある程度大きめの突出量となっている。この形態でも、前記実施形態と同様の効果を得ることができる。
【００７０】
図８に示す第６変形例では、発光部材の一例としての面状発光体３７を、位置表示部として例示する。面状発光体３７は、表皮１０の外側に光を出射する部材であり、通電により発光する。面状発光体３７は、表皮１０と圧力センサＰＳ１との間に配置されている。面状発光体３７の配線ＨＬは、クッションパッド２０の孔２１を通って制御装置１００に接続されている。
【００７１】
なお、面状発光体３７としては、例えば有機ＥＬ照明パネルなどが挙げられる。また、表皮１０は、面状発光体３７からの光を透過できる材料、例えばメッシュ状の材料で形成されている。なお、表皮１０に小さな孔を設け、この孔を通して面状発光体３７からの光を外部に出射させてもよい。
【００７２】
この変形において、制御装置１００は、図９に示す制御を実行する。制御装置１００は、図９に示す制御を常時繰り返し実行している。
【００７３】
図９に示す制御において、制御装置１００は、まず、スマートフォンＳＰと通信可能であるか否かを判断する（Ｓ１１）。ステップＳ１１において通信可能でないと判断した場合には（Ｎｏ）、制御装置１００は、本制御を終了する。
【００７４】
ステップＳ１１において通信可能であると判断した場合には（Ｙｅｓ）、制御装置１００は、面状発光体３７への通電を実行して、面状発光体３７を発光させる（Ｓ１２）。ステップＳ１２の後、制御装置１００は、各圧力センサＰＳ１〜ＰＳ６からの情報に基づいて、着座者がシート本体Ｓ０に着座したか否かを判断する（Ｓ１３）。
【００７５】
ステップＳ１３において着座していないと判断した場合には（Ｎｏ）、制御装置１００は、本制御を終了する。ステップＳ１３において着座したと判断した場合には（Ｙｅｓ）、制御装置１００は、面状発光体３７への通電を停止して、面状発光体３７を消灯させて（Ｓ１４）、本制御を終了する。
【００７６】
以上、この変形例によれば、前記実施形態と同様の効果を奏する他、以下に示す効果を奏する。
制御装置１００がスマートフォンＳＰと通信可能な場合、つまり着座者が圧力センサＰＳ１〜ＰＳ６を使用する場合に、面状発光体３７が発光するので、非使用時に面状発光体３７が不必要に光るのを抑制することができる。そして、非使用時には面状発光体３７が光らないので、シート本体Ｓ０の外観を良好にすることができる。
【００７７】
着座者がシート本体Ｓ０に着座した後は面状発光体３７を消灯させるので、例えば着座後も面状発光体３７を発光させ続ける形態と比べ、電力消費を抑えることができる。
【００７８】
なお、発光部材としては、面状発光体３７に限らず、例えば、ＬＥＤなどであってもよい。なお、ＬＥＤなどの面状でない発光部材の場合には、センサの周りでクッションパッドに埋め込んでもいい。また、面状発光体を表皮の外面に貼り付けてもよい。
【００７９】
前記実施形態では、表皮１０のうち圧力センサＰＳ１〜ＰＳ６を設けた箇所が外側に突出するように構成したが、本発明はこれに限定されるものではない。例えば、図１０に示す第７変形例のように、クッションパッド２０に、圧力センサＰＳ１〜ＰＳ６の厚み分の深さを有する凹部２２を設けて、表皮１０の外面１０Ａをフラットにしてもよい。この場合であっても、表皮１０のうち圧力センサＰＳ１〜ＰＳ６に対応した位置に、塗料３１などの位置表示部を設けることで、前記実施形態と同様の効果を得ることができる。
【００８０】
また、図１１に示す第８変形例のように、クッションパッド２０に、圧力センサＰＳ１〜ＰＳ６の厚みよりも大きな深さを有する凹部２３を設けて、表皮１０のうち圧力センサＰＳ１〜ＰＳ６に対応した箇所を凹ませてもよい。つまり、この変形例では、表皮１０の外面１０Ａに、圧力センサＰＳ１〜ＰＳ６に対応した位置に配置される凹部１０Ｂが形成されている。この変形例では、凹部１０Ｂが位置表示部として機能するので、前記実施形態と同様の効果を得ることができる。
【００８１】
前記実施形態では、シートとして、自動車などの乗物で使用される乗物用シートＳを例示したが、本発明はこれに限定されず、その他のシート、例えば、家屋などの室内で使用される座椅子や椅子などであってもよい。
【００８２】
着座者の情報としては、着座者の動作を特定するための情報に限らず、例えば、着座者の血圧などであってもよい。
【００８３】
対象機器は、スマートフォンＳＰに限らず、例えばタブレット端末などであってもよい。
【００８４】
前記した実施形態および変形例で説明した各要素を、任意に組み合わせて実施してもよい。
【符号の説明】
【００８５】
３１    塗料
ＰＳ１〜ＰＳ６  圧力センサ
Ｓ      乗物用シート
Ｓ０    シート本体
【図１】
2019182167.tif 000003
【図２】
2019182167.tif 000004
【図３】
2019182167.tif 000005
【図４】
2019182167.tif 000006
【図５】
2019182167.tif 000007
【図６】
2019182167.tif 000008
【図７】
2019182167.tif 000009
【図８】
2019182167.tif 000010
【図９】
2019182167.tif 000011
【図１０】
2019182167.tif 000012
【図１１】
2019182167.tif 000013